(57)【特許請求の範囲】
【請求項１】
給湯機を介して水源に接続された給湯分岐部と、前記給湯機を介さずに水源に接続された給水分岐部とが設けられており、湯と水を両方使用する水回り設備の水栓に接続されている配管は、バルブを介して一対の給湯配管と給水配管とに接続され、前記給湯配管が前記給湯分岐部と接続されていると共に、前記給水配管が前記給水分岐部と接続されており、前記バルブを給水側と給湯側とに切り替えるバルブ切替制御手段が設けられ、このバルブ切替制御手段は、水栓操作領域から操作可能に成され、前記水栓が単水栓であるユニット建物の配管構造。
【請求項２】
湯と水を両方使用する水回り設備の水栓に接続されている配管が、給湯分岐部を介して給湯機に接続され、給湯機から供給される湯水の温度を設定する水温設定手段が設けられ、この水温設定手段が、水栓操作領域から操作可能に成され、前記水栓が単水栓であるユニット建物の配管構造。
【発明の詳細な説明】
【０００１】
【発明の属する技術分野】
本発明は、複数の建物ユニットを結合させて構成されるユニット建物の配管構造に関する。
【０００２】
【従来の技術】
複数の建物ユニットを結合させてひとつのユニット建物の配管構造を構成するに際し、浴槽や洗面台やトイレ、シンク等の水回り設備が予め組み込まれた設備建物ユニットを用いることが多く行われている。
ところで、このような湯水や冷水の水源から水回り設備への配管は、建築現場に建物ユニットを据え置きした後に行うのが一般的であったが、配管作業を狭い床下空間にて行わなければならず、作業効率が悪いといった問題があった。
そこで、近年では、工場内において、建物ユニットの床にヘッダーを取り付けておくと共に、このヘッダーと水回り設備との間の配管も予め行っておく手法が提案されている（特開平２−６１２６４号公報参照）。
【０００３】
【発明が解決しようとする課題】
ところで、湯と水を両方使用する水回り設備を有するユニット建物の配管構造では、水のみを使用する水回り設備で水を使用する時は、通常通り水栓を開放して使用し、また、湯と水を両方使用する水回り設備で水を使用する時は、バルブ切替制御手段を給水側に設定した状態で水栓を開放して使用し、湯と水を両方使用する水回り設備で湯を使用する時には、バルブ切替制御手段を給湯側に設定した状態で水栓を開放して使用することが望ましく、このような構造とするには、なるべくコストが掛からず、配管スペースの節約をすることができ、配管作業の向上性を図るように構成するのが望ましい。
本発明は、材料費のコストダウンを図ることができ、かつ、配管スペースの節約ならびに配管作業性の向上を図ることを目的としている。
【０００４】
【課題を解決するための手段】
上記目的を達成するために、請求項１記載の発明では、給湯機を介して水源に接続された給湯分岐部と、前記給湯機を介さずに水源に接続された給水分岐部とが設けられており、湯と水を両方使用する水回り設備の水栓に接続されている配管は、バルブを介して一対の給湯配管と給水配管とに接続され、前記給湯配管が前記給湯分岐部と接続されていると共に、前記給水配管が前記給水分岐部と接続されており、前記バルブを給水側と給湯側とに切り替えるバルブ切替制御手段が設けられ、このバルブ切替制御手段は、水栓操作領域から操作可能に成され、前記水栓が単水栓である構成とし、請求項２記載の発明では、湯と水を両方使用する水回り設備の水栓に接続されている配管が、給湯分岐部を介して給湯機に接続され、給湯機から供給される湯水の温度を設定する水温設定手段が設けられ、この水温設定手段が、水栓操作領域から操作可能に成され、前記水栓が単水栓である構成とした。
【０００６】
【作用】
請求項１記載の発明では、水のみを使用する水回り設備で水を使用する時は、通常通り水栓を開放して使用する。また、湯と水を両方使用する水回り設備で水を使用する時は、バルブ切替制御手段を給水側に設定した状態で水栓を開放して使用し、湯と水を両方使用する水回り設備で湯を使用する時には、バルブ切替制御手段を給湯側に設定した状態で水栓を開放して使用する。
【０００７】
請求項２記載の発明では、湯と水を両方使用する水回り設備で水を使用する時は、水栓操作領域から操作して、水温設定手段により水温を適宜調整した湯あるいは水を供給できる。
【００１０】
【発明の実施の形態】
まず、図１ならびに図２に基づき、実施の形態１のユニット建物の配管構造について詳述する。図１は実施の形態１のユニット建物の配管構造を示す斜視図、図２は実施の形態１のユニット建物の配管構造を示すブロック図である。
【００１１】
このユニット建物は、基礎Ａ１，Ａ２，Ａ３，Ａ４の上に、８つの建物ユニットＢ１１，Ｂ１２，Ｂ１３，Ｂ１４，Ｂ２１，Ｂ２２，Ｂ２３，Ｂ２４を２層にして据え置きして構成されている。また、８つの建物ユニットＢ１１，Ｂ１２，Ｂ１３，Ｂ１４，Ｂ２１，Ｂ２２，Ｂ２３，Ｂ２４のうち、６つの建物ユニットＢ１１，Ｂ１２，Ｂ１３，Ｂ１４，Ｂ２２，Ｂ２３は設備建物ユニットになっており、１階の設備建物ユニットＢ１１には浴槽Ｃと洗濯機Ｄが設けられ、その横の設備建物ユニットＢ１２には洗面台Ｅが設けられ、その横の設備建物ユニットＢ１３にはトイレＦが設けられ、その横の設備建物ユニットＢ１４には流し台Ｇと食器洗い機Ｈが設けられている。また、前記設備建物ユニットＢ１２の上に配置されている２階の設備建物ユニットＢ２２には洗面台Ｉが設けられ、前記設備建物ユニットＢ１３の上に載置されている２階の設備建物ユニット２３にはトイレＪが設けられている。
【００１２】
また、図中Ｋは給湯機で、この給湯機Ｋは、前記１階の洗面台Ｅが設けられた設備建物ユニットＢ１２内に設置されており、室内に設けられたリモコンＬでＯＮ・ＯＦＦ状態ならびに湯温を調節できるようになっている。
【００１３】
図中Ｍは給水外ヘッダー、Ｎは給湯外ヘッダーで、これらは基礎Ａ２に取り付けられている。また、前記給水外ヘッダーＭは、水源に続く接続配管Ｐ１と接続され、給水配管Ｐ２を介して前記給湯機Ｋに接続されている。また、前記給湯外ヘッダーＮは、給湯配管Ｐ３を介して前記給湯機Ｋと接続され、給湯機Ｋで加熱された湯が、この給湯配管Ｐ３を通して送られてくるようになっている。
【００１４】
図中Ｑは給水内ヘッダー、Ｒは給湯内ヘッダーで、これらは前記洗濯機Ｄの背面に取り付けられている。また、前記給水内ヘッダーＱは、１階の設備建物ユニットの床下において、給水配管Ｐ２を介して前記給水外ヘッダーＭと接続され、前記給湯内ヘッダーＲは、１階の設備建物ユニットの床下において、給湯配管Ｐ３を介して前記給湯外ヘッダーＮと接続されている。
【００１５】
１階の浴槽Ｃ、洗濯機Ｄ、洗面台Ｅ、流し台Ｇ、食器洗い機Ｈ、ならびに２階の洗面台Ｇのそれぞれには、給水用水栓Ｓと給湯用水栓Ｔとがそれぞれひとつづつ設けられており、１階のトイレＦと２階のトイレＪのそれぞれには給水用水栓ＳＳがひとつ設けられている。
【００１６】
そして、１階の浴槽Ｃ、洗濯機Ｄ、洗面台Ｅに設けられている給水用水栓Ｓは給水配管Ｐ２を介して前記給水内ヘッダーＱに接続され、それらに設けられている給湯用水栓Ｔは、給湯配管Ｐ３を介して前記給湯内ヘッダーＲに接続されている。また、１階の流し台Ｇ、食器洗い機Ｈ、２階の洗面台Ｉ、１階のトイレＦ、２階のトイレＪの給水用水栓Ｓは、給水配管Ｐ２を介して給水外ヘッダーＭに直に接続され、１階の流し台Ｇ、食器洗い機Ｈ、２階の洗面台Ｉの給湯用水栓Ｔは、給湯配管Ｐ３を介して給湯外ヘッダーＮに直に接続されている。
【００１７】
すなわち、１階のトイレＦもしくは２階のトイレＪで水を使用する時には、通常通り単水栓を開放して使用する。また、洗濯機Ｄ、浴槽Ｃ、１階の洗面台Ｅ、流し台Ｇ、食器洗い器、２階の洗面台Ｉで水を使用する時には、これらの給水用水栓Ｓを開放して使用し、これらで湯を使用する時には、室内のリモコンＬにて給湯機Ｋの電源を入れると共に湯温を適温に設定した状態でこれらの給湯用水栓Ｔを開放して使用する。
【００１８】
つまり、本実施の形態のユニット建物の配管構造では、工場内において設備建物ユニットＢ１１，Ｂ１２，Ｂ１３，Ｂ１４，Ｂ２２，Ｂ２３を組み立てる際に、各設備建物ユニットＢ１１，Ｂ１２，Ｂ１３，Ｂ１４，Ｂ２２，Ｂ２３内に水回り設備（浴槽Ｃ、洗濯機Ｄ、洗面台Ｅ，Ｉ、流し台Ｇ、食器洗い機Ｈ、トイレＦ，Ｊ）を適宜設置し、かつ、これらの水回り設備の給水用水栓Ｓに給水配管Ｐ２を接続すると共に給湯用水栓Ｔに給湯用水栓Ｔを接続する。また、設備建物ユニットＢ１２には、給湯機Ｋも設置し、その給湯機Ｋの背面には、給水内ヘッダーＱならびに給湯内ヘッダーＲを取り付けておく。そして、１階の浴槽Ｃ、洗濯機Ｄ、洗面台Ｅの給水配管Ｐ２は給水内ヘッダーＱに接続し、それらの給湯配管Ｐ３は給湯内ヘッダーＲに接続しておく。また、他の水回り設備（２階の洗面台Ｉ、流し台Ｇ、食器洗い機Ｈ、１階と２階のトイレＦ，Ｊ）からの給水配管Ｐ２ならびに給湯配管Ｐ３と、給水内ヘッダーＱならびに給湯内ヘッダーＲからの給水配管Ｐ２は、一端を各設備建物ユニットＢ１３，Ｂ１４，Ｂ２２，Ｂ２３の床下まで導いておく。なお、給水配管Ｐ２ならびに給湯配管Ｐ３の横方向の配管は、床下や水回り設備の中で行い、給水配管Ｐ２ならびに給湯配管Ｐ３の縦方向の配管は、壁の内側や建具の中や水回り設備の中で行うのが望ましいが、水回り設備が建具や壁と接していない場合等には、配管が室内に露出してしまわないようにカバー等で覆うようにするのが望ましい。また、配管の施工方法としては、予め建物ユニットに配管しておいた鞘管に給水配管Ｐ２ならびに給湯配管Ｐ３を挿通させる鞘管工法を採用してもよい。
【００１９】
そして、建築現場において、基礎Ａ１，Ａ２，Ａ３，Ａ４を構築し、基礎Ａ２に給水外ヘッダーＭならびに給湯外ヘッダーＮを設置し、基礎Ａ１，Ａ２，Ａ３，Ａ４の上に１階の建物ユニットＢ１１，Ｂ１２，Ｂ１３，Ｂ１４を据え置きすると共に、その１階の建物ユニットＢ１１，Ｂ１２，Ｂ１３，Ｂ１４の上に２階の建物ユニットＢ２１，Ｂ２２，Ｂ２３，Ｂ２４を据え置きする。その後、床下に導いておいた給水配管Ｐ２の一端を、給水外ヘッダーＭに接続すると共に、給湯配管Ｐ３の一端を給湯外ヘッダーＮに接続する。そうすることにより、水源から水回り設備までの配管を完了させることができる。
【００２０】
このように、予め工場内にて全ての設備建物ユニットＢ１１，Ｂ１２，Ｂ１３，Ｂ１４，Ｂ２２，Ｂ２３の水回り設備の給水用水栓Ｓに給水配管Ｐ２を接続しておくと共に、給湯用水栓Ｔに給湯配管Ｐ３を接続しておくことができ、しかも建物ユニット間で給水配管Ｐ２同士の接続作業ならびに給湯配管Ｐ３同士の接続作業をする必要がないので、建築現場での配管作業工数を少なくすることができ、配管作業性が向上する。しかも、建物ユニットＢ１１内に給水内ヘッダーＱと給湯内ヘッダーＲを設けたことで、建築現場での建物ユニット内の配管と建物ユニット外の配管との接続作業工数を少なくすることができるので、より一層、配管作業性が向上する。
【００２１】
次に、図３に基づいて、実施の形態２のユニット建物の配管構造について説明する。なお、実施の形態２を説明するにあたり、実施の形態１と同一の構成については図面に実施の形態と同一の符号を付して説明を省略する。
本実施の形態２の配管構造では、１つの水回り設備につき単水栓Ｕが１つ設けられており、１階ならびに２階トイレＦ，Ｊの単水栓Ｕには、一系統の給水配管Ｐ２が接続され、この給水配管Ｐ２が給水外ヘッダーＭに接続されている。また、洗濯機Ｄ、浴槽Ｃ、１階と２階の洗面台Ｅ，Ｉ、流し台Ｇ、食器洗い機Ｈの単水栓Ｕには、一系統の給水・給湯配管Ｐ４が接続され、これらの給水・給湯配管Ｐ４が、バルブＶを介して一対の給湯配管Ｐ３と給水配管Ｐ２とに接続され、前記給湯配管Ｐ３が前記給湯外ヘッダーＮと接続されていると共に、前記給水配管Ｐ２が前記給水外ヘッダーＭと接続されている。
前記各バルブＶは、各水回り設備の近傍に設けられたバルブ切替スイッチＷと接続されており、このバルブ切替スイッチＷによって独自に給水側と給湯側とに切り替えることができるようになっている。
【００２２】
すなわち、１階のトイレＦもしくは２階のトイレＪで水を使用する時には、通常通り単水栓Ｕを開放して使用する。また、洗濯機Ｄ、浴槽Ｃ、１階の洗面台Ｅ、２階の洗面台Ｉ、流し台Ｇ、食器洗い機Ｈで水を使用する時には、バルブ切替スイッチＷを給水側に設定し、これらの単水栓Ｕを開放して使用し、洗濯機Ｄ、浴槽Ｃ、１階の洗面台Ｅ、２階の洗面台Ｉ、流し台Ｇ、食器洗い機Ｈで湯を使用する時には、バルブ切替スイッチＷを給湯側に設定し、かつ、室内のリモコンＬにて給湯機Ｋの電源を入れると共に湯温を適温に設定した状態でこれらの単水栓Ｕを開放して使用する。
【００２３】
次に、図４に基づいて、実施の形態３のユニット建物の配管構造について説明する。なお、実施の形態３を説明するにあたり、実施の形態１と同一の構成については図面に実施の形態と同一の符号を付して説明を省略する。
【００２４】
本実施の形態３の配管構造では、１つの水回り設備につき単水栓Ｕが１つ設けられており、１階ならびに２階トイレＦ，Ｊの単水栓Ｕには、一系統の給水配管Ｐ２が接続され、この給水配管Ｐ２が水源側に続く接続配管Ｐ１に接続されている。また、洗濯機Ｄ、浴槽Ｃ、１階と２階の洗面台Ｅ，Ｉ、流し台Ｇ、食器洗い機Ｈの単水栓Ｕには、一系統の給水・給湯配管Ｐ４が接続され、これらの給水・給湯配管Ｐ４が給湯外ヘッダーＮに接続されている。更に、前記給湯外ヘッダーＮは、給水・給湯配管Ｐ４を介して給湯機Ｋに接続され、この給湯機Ｋは給水配管Ｐ２を介して水源側に続く接続配管Ｐ１に接続されている。
【００２５】
すなわち、１階のトイレＦもしくは２階のトイレＪで水を使用する時には、通常通り単水栓Ｕを開放して使用する。また、洗濯機Ｄ、浴槽Ｃ、１階の洗面台Ｅ、２階の洗面台Ｉ、流し台Ｇ、食器洗い機Ｈで水を使用する時には、給湯機Ｋの電源を切った状態でこれらの単水栓Ｕを開放して使用し、洗濯機Ｄ、浴槽Ｃ、１階の洗面台Ｅ、２階の洗面台Ｉ、流し台Ｇ、食器洗い機Ｈで湯を使用する時には、室内のリモコンＬにて給湯機Ｋの電源を入れると共に湯温を適温に設定した状態でこれらの単水栓Ｕを開放して使用する。
【００２６】
つまり、実施の形態２の配管構造ならびに実施の形態３の配管構造では、１つの水回り設備に１つの単水栓Ｕが設けられており、これらの単水栓Ｕに接続した配管も一系統になっているので、材料費のコストダウンを図ることができ、かつ配管スペースの節約ならびに配管作業性の向上を図ることができる。
【００２７】
以上、本発明の実施の形態を図面により詳述してきたが、具体的な構成はこの実施の形態に限られるものではなく、本発明の要旨を逸脱しない範囲における設計の変更等があっても本発明に含まれる。例えば、実施の形態では、洗濯機の背面に給水内ヘッダーならびに給湯内ヘッダーが取り付けられている例を示したが、これら内ヘッダーの取り付け箇所は、この実施の形態に限定されず、洗面台の背面や蹴込みの内側、流し台の背面や蹴込みの内側、浴槽の裏側や底面、建具の裏側、床の裏側等であってもよい。
【００２８】
【発明の効果】
以上説明したように、請求項１ならびに２記載の発明にあっては、１つの水回り設備に１つの単水栓が設けられており、これらの単水栓に接続した配管も一系統になっているので、材料費のコストダウンを図ることができ、かつ、配管スペースの節約ならびに配管作業性の向上を図ることができるという効果が得られる。
【図面の簡単な説明】
【図１】実施の形態１のユニット建物の配管構造を示す斜視図。
【図２】実施の形態１のユニット建物の配管構造を示すブロック図。
【図３】実施の形態２のユニット建物の配管構造を示すブロック図。
【図４】実施の形態３のユニット建物の配管構造を示すブロック図。
【符号の説明】
Ａ１，Ａ２，Ａ３，Ａ４  基礎
Ｂ１１，Ｂ１２，Ｂ１３，Ｂ１４  １階の建物ユニット
Ｂ２１，Ｂ２２，Ｂ２３，Ｂ２４  ２階の建物ユニット
Ｃ  浴槽
Ｄ  洗濯機
Ｅ  １階の洗面台
Ｆ  １階のトイレ
Ｇ  流し台
Ｈ  食器洗い機
Ｉ  ２階の洗面台
Ｊ  ２階のトイレ
Ｋ  給湯機
Ｌ  リモコン
Ｍ  給水外ヘッダー
Ｎ  給湯外ヘッダー
Ｐ１  接続配管
Ｐ２  給水配管
Ｐ３  給湯配管
Ｐ４  給水・給湯配管
Ｑ  給水内ヘッダー
Ｒ  給湯外ヘッダー
Ｓ  給水用水栓
Ｔ  給湯用水栓
Ｕ  単水栓
Ｖ  バルブ
Ｗ  バルブ切替スイッチ
【図１】
0003782597.tif 000002
【図２】
0003782597.tif 000003
【図３】
0003782597.tif 000004
【図４】
0003782597.tif 000005